(57)【特許請求の範囲】
【請求項１】
本体部と、前記本体部にヒンジシャフトを中心として回転可能に結合されるフォルダ部とから構成されるフォルダ型携帯用通信装置のヒンジ装置であって、
前記本体部に備えられるセンターヒンジアームと、
前記フォルダ部に備えられる第１及び第２のサイドヒンジアームと、
前記センターヒンジアームに備えられ、押し込み及び押し出しが行われて前記第１のサイドヒンジアームと結合及び分離されるヒンジシャフトを備えるヒンジ部と、
前記ヒンジシャフトを前記ヒンジ部の内側に押し込み可能に前記第１のサイドヒンジアームに備えられたヒンジキャップと、
前記センターヒンジアームに備えられ、前記ヒンジシャフト方向に従って左右移動して前記第２のサイドヒンジアームと結合及び分離されるヒンジダミーと、
前記センターヒンジアームに備えられ、前記ヒンジダミーと結合されるとともに前記ヒンジダミーの左右移動を可能にするヒンジブラケット部と、
を備えることを特徴とするヒンジ装置。
【請求項２】
前記第１のサイドヒンジアームは、前記ヒンジキャップと結合されて該ヒンジキャップを押し込み可能に形成された結合孔を有し、
前記第２のサイドヒンジアームは、前記ヒンジダミーに形成された結合突起と結合及び分離されるように形成された結合及び分離溝を有することを特徴とする請求項１に記載のヒンジ装置。
【請求項３】
前記ヒンジ部を安着させる安着溝が前記センターヒンジアームの一端に形成され、
前記ヒンジダミーを移動可能にする移動溝が前記センターヒンジアームの他端に形成され、
前記本体部を外部と遮断させる遮断部が前記安着溝と前記移動溝との間に形成されることを特徴とする請求項１に記載のヒンジ装置。
【請求項４】
前記ヒンジ部は、所定方向に押されることによって前記ヒンジシャフトを押し込み及び押し出し可能にすることを特徴とする請求項１に記載のヒンジ装置。
【請求項５】
前記ヒンジダミーの一端には、前記センターヒンジアームの移動溝から突出して前記第２のサイドヒンジアームの結合及び分離溝と結合及び分離される結合突起が形成され、
前記ヒンジダミーの他端には、前記ヒンジブラケット部に形成されたガイド結合部にガイド結合され、左右移動して前記結合突起を突出可能にする傾斜部が形成されることを特徴とする請求項３に記載のヒンジ装置。
【請求項６】
前記ヒンジブラケット部は、
前記本体部に形成された挿入溝に挿入され、前記ヒンジダミーの他端とガイド結合されるとともに前記ヒンジダミーを左右移動させるガイド結合部と、
前記ガイド結合部に隣接する位置に形成されて前記挿入溝を密閉するシーリング部と、
を含むことを特徴とする請求項１に記載のヒンジ装置。
【請求項７】
前記シーリング部はゴム（ｒｕｂｂｅｒ）からなることを特徴とする請求項６に記載のヒンジ装置。
【請求項８】
前記ガイド結合部には、前記傾斜部とガイド結合されるとともに前記ヒンジダミーを移動可能にするガイド傾斜面が形成されることを特徴とする請求項６に記載のヒンジ装置。
【請求項９】
前記ヒンジダミーは、前記フォルダ部が前記本体部と結合又は分離される際と前記ヒンジシャフトが前記ヒンジ部の内側に押し込まれる際に前記センターヒンジアームから突出しないことを特徴とする請求項６に記載のヒンジ装置。
【請求項１０】
本体部と、前記本体部にヒンジシャフトを中心に回転可能に結合されるフォルダ部とで構成されるフォルダ型携帯用通信装置のヒンジ装置であって、
前記本体部に備えられ、押し込み及び押し出しが行われて前記フォルダ部と結合及び分離されるヒンジシャフトを備えるヒンジ部と、
前記ヒンジシャフトを前記ヒンジ部の内側に押し込み可能に前記フォルダ部に備えられたヒンジキャップと、
前記本体部に備えられ、前記ヒンジシャフト方向に従って左右移動して前記フォルダ部と結合及び分離されるヒンジダミーと、
前記本体部に備えられ、前記ヒンジダミーと結合されるとともに前記ヒンジダミーの左右移動を可能にするヒンジブラケット部と、
を備えることを特徴とするヒンジ装置。
【発明の詳細な説明】
【技術分野】
【０００１】
本発明は、フォルダ型携帯用通信装置のヒンジ装置に係り、特に、本体部とフォルダ部の結合（組立）及び分離（分解）が容易なフォルダ型携帯用通信装置のヒンジ装置に関するものである。
【背景技術】
【０００２】
通常、“携帯用通信装置”は、ユーザーが携帯しつつ相手方と無線通信を遂行できる装置を意味する。このような携帯用通信装置は、ＨＨＰ（Ｈａｎｄ−Ｈｅｌｄ  Ｐｈｏｎｅ）、ＣＴ（Ｃｏｒｄｌｅｓｓ  Ｔｅｌｅｐｈｏｎｅ）−２セルラーフォン、デジタルフォン、ＰＣＳ（Ｐｅｒｓｏｎａｌ  Ｃｏｍｍｕｎｉｃａｔｉｏｎ  Ｓｙｓｔｅｍ）フォン、及びＰＤＡ（Ｐｅｒｓｏｎａｌ  Ｄｉｇｉｔａｌ  Ａｓｓｉｓｔａｎｔ）などを称し、外形上でいろいろなタイプに分類される。例えば、無線端末機は、外形によってバー型（ｂａｒ−ｔｙｐｅ）、フリップ型（ｆｌｉｐ−ｔｙｐｅ）、フォルダ型（ｆｏｌｄｅｒ−ｔｙｐｅ）、及びスライド型（ｓｌｉｄｅ−ｔｙｐｅ）に分類される。上記した従来の携帯用通信装置は、必須的にアンテナ装置、データ入出力装置、及びデータ送受信装置を備える。データ入力装置においては、主に指押しの動作によってデータ入力可能なキーパッドが一般的に使用される。
【０００３】
従来のフォルダ型携帯用通信装置において、本体部とフォルダ部は、ヒンジ装置によって一定の開閉角度で開放されるように結合される。
【０００４】
各種キーボタンとマイク装置は本体部に装着され、表示部とスピーカ装置はフォルダ部に装着される。センターヒンジアームは、本体に設置される。
【０００５】
フォルダ部の下端部には、この本体部のセンターヒンジアームと結合されてフォルダ部を本体部に回転可能に結合させる一対のサイドヒンジアームが設置される。所定のヒンジ装置は、このセンターヒンジアームに設置される。
【０００６】
上記ヒンジ装置は、フォルダ部と結合されて回転するヒンジシャフト（ｈｉｎｇｅ  ｓｈａｆｔ）が備えられる。
【０００７】
しかしながら、従来のフォルダ型携帯用通信装置は、例えば特許文献１に記載されているように、本体部のセンターヒンジアームの一側にヒンジ装置を備え、その他側にはヒンジ結合部を備えており、この状態で、ヒンジ結合部は、フォルダ部の一側に位置したサイドヒンジアームに結合され、ヒンジ装置のヒンジシャフトは、フォルダ部の他側に形成されたサイドヒンジアームに結合されるように加圧によって強制的に変形されることによって、上記装置を組み立てる際に相当な力が要求され、本体部、フォルダ部、及びヒンジ装置は、加圧によって変形及び損傷されるという問題点があった。
【０００８】
また、従来のフォルダ型携帯用通信装置のヒンジ装置は、加圧によって強制的に変形される結合方式であるため、この通信装置の組み立て及び分解時に外観不良が発生し組み立ての作業性が低下するという短所もあった。
したがって、ヒンジ装置を加圧して強制的変形及び損傷なしに本体部とフォルダ部とを結合及び分離できる装置が要求される。
【先行技術文献】
【特許文献】
【０００９】
【特許文献１】韓国登録特許公報１０−０４８３６０８（２００５年０４月１５日）
【発明の概要】
【発明が解決しようとする課題】
【００１０】
したがって、上記した従来技術の問題点を解決するための本発明の目的は、本体部とフォルダ部の結合及び分離の際に変形及び損傷を防止し、それによって製品の組立及び分解を容易にして生産性を向上できるフォルダ型携帯用通信装置のヒンジ装置を提供することにある。
【課題を解決するための手段】
【００１１】
上記のような目的を達成するために、本発明の一態様によれば、本体部と、本体部にヒンジシャフトを中心として回転可能に結合されるフォルダ部とから構成されるフォルダ型携帯用通信装置のヒンジ装置であって、本体部に備えられるセンターヒンジアームと、フォルダ部に備えられる第１及び第２のサイドヒンジアームと、第１のサイドヒンジアームに備えられて外力によって押さえられるヒンジキャップと、センターヒンジアームに備えられ、ヒンジキャップを押すことによって、押し込み及び押し出しが行われて第１のサイドヒンジアームと結合及び分離されるヒンジシャフトを備えるヒンジ部と、センターヒンジアームに備えられ、ヒンジシャフト方向に従って左右移動して第２のサイドヒンジアームと結合及び分離されるヒンジダミーと、センターヒンジアームに備えられ、ヒンジダミーと結合されると同時にヒンジダミーの左右移動を可能にするヒンジブラケット部とを含むことを特徴とする。
【発明の効果】
【００１２】
以上、本発明のフォルダ型携帯用通信装置のヒンジ装置は、ヒンジ部とヒンジダミーに専用の弾性部材を効果的に用いているので、本体部とフォルダ部の結合及び分離に際して、何れにも強制的変形とそれに伴う損傷を与えることがなく、製品の組立及び分解の作業性を向上し、コストを低減できる。
【図面の簡単な説明】
【００１３】
【図１】本発明の一実施形態によるフォルダ型携帯用通信装置のヒンジ装置の構成を示す分解側面図である。
【図２】本発明の一実施形態によるフォルダ型携帯用通信装置のヒンジ装置の、第１のサイドヒンジアーム、ヒンジキャップ、及びヒンジ部の組み合わせを示す分解斜視図である。
【図３】本発明の一実施形態によるフォルダ型携帯用通信装置のヒンジ装置のセンターヒンジアームを示す側面図である。
【図４】本発明の一実施形態によるフォルダ型携帯用通信装置のヒンジ装置の、センターヒンジアームにヒンジ部とヒンジダミーを結合する前の状態を示す分解側面図である。
【図５】本発明の一実施形態によるフォルダ型携帯用通信装置のヒンジ装置の、ヒンジ部とヒンジダミーをセンターヒンジアームに結合した状態を示す側断面図である。
【図６】本発明の一実施形態によるフォルダ型携帯用通信装置のヒンジ装置の、センターヒンジアームと、フォルダ部の第１サイドヒンジアームとの結合を示す側断面図である。
【図７】本発明の一実施形態によるフォルダ型携帯用通信装置のヒンジ装置の、センターヒンジアームと、フォルダ部の第１、第２サイドヒンジアームとの結合を示す側断面図である。
【図８】本発明の一実施形態によるフォルダ型携帯用通信装置のヒンジ装置の、センターヒンジアームと、フォルダ部の第１、第２サイドヒンジアームとの分離過程を示す側断面図である。
【発明を実施するための形態】
【００１４】
以下、本発明の望ましい実施形態を添付の図面を参照して詳細に説明する。
本明細書に記載された実施形態と構成は、本発明の範囲及び精神を逸脱することなく、以下に説明される本発明の様々な変形及び変更が可能であることは、当該技術分野における通常の知識を持つ者には明らかである。
【００１５】
図１乃至図８に示すように、フォルダ型携帯用通信装置のヒンジ装置１０は、本体部２０と、フォルダ部３０と、第１及び第２のサイドヒンジアーム３１、３２と、ヒンジキャップ５０と、ヒンジ部６０と、ヒンジダミー７０と、ヒンジブラケット部８０とから構成される。
【００１６】
本体部２０は、第１及び第２のサイドヒンジアーム３１、３２とヒンジ軸Ａ１を中心に回転可能に結合されるべきヒンジ部６０が安着されたセンターヒンジアーム２１を備える。
【００１７】
フォルダ部３０は、ヒンジ部６０とヒンジ軸Ａ１を中心に回転可能に結合されるべき第１及び第２のサイドヒンジアーム３１、３２を備える。
【００１８】
ヒンジキャップ５０は、外力によって押し込み可能に第１のサイドヒンジアーム３１に備えられ、ヒンジ部６０はヒンジシャフト６１及びヒンジシャフト６１を弾持する弾性部材（図示せず）を備え、センターヒンジアーム２１の一端（図で左端）側に備えられる。
【００１９】
ヒンジシャフト６１は外力を加えない場合は、例えば図５に示すようにヒンジ部６０から弾性部材の弾性により部分的に押し出されており、直接、又はヒンジキャップ５０を介して外力を加えることによって、例えば図８に示すようにヒンジシャフト６１はヒンジ部６０の内部に押し込まれる。
【００２０】
それとともにヒンジシャフト６１は、センターヒンジアーム２１から押し出されて第１のサイドヒンジアーム３１に形成された結合孔３１ａと結合され、又は、センターヒンジアーム２１に押し込まれて第１のサイドヒンジアーム３１に形成された結合孔３１ａから分離される。
【００２１】
ヒンジダミー７０はセンターヒンジアーム２１の他端（図で右端）側に備えられて、図示しない弾性部材により弾持されており、外力によりヒンジ軸Ａ１の方向に図で右方に移動すると、第２のサイドヒンジアーム３２に形成された結合・分離溝３２ａに結合され、前記外力が加わらないと、ヒンジ軸Ａ１の方向に図で左方に復元移動し、結合・分離溝３２ａから分離される。
【００２２】
ヒンジブラケット部８０はセンターヒンジアーム２１の他端（図で右端）側に備えられ、ヒンジダミー７０と結合するとヒンジダミー７０に外力を加え、その左右移動を可能にする。
【００２３】
図１乃至図３及び図６乃至図８に示すように、第１のサイドヒンジアーム３１には、ヒンジキャップ５０を外力によって押し込むことができる結合孔３１ａが形成されており、第２のサイドヒンジアーム３２には、ヒンジダミー７０に形成された結合突起７１と結合又は分離する結合・分離溝３２ａが形成されている。
【００２４】
図１乃至図５に示すように、センターヒンジアーム２１の一端（図で左端）内部にはヒンジ部６０を安着させる安着溝２１ａが形成されており、センターヒンジアーム２１の他端（図で右端）内部にはヒンジダミー７０を移動可能にするように移動溝２１ｂが形成されている。安着溝２１ａと移動溝２１ｂとの間には、本体部２０を外部（例えば、異質物又は水）から遮断するために遮断部２１ｃが形成されている。
【００２５】
例えば図７及び図８に各々示すように、ヒンジ部６０は、外部からの加圧の有、無によって各々、ヒンジシャフト６１の、ヒンジ部６０の内側への押し込み、及びヒンジ部６０の内部からの押し出しが可能になる。
【００２６】
図６乃至図８に示すように、ヒンジダミー７０の他端（図で右端）には、センターヒンジアーム２１の移動溝２１ｂから突出して第２のサイドヒンジアーム３２の結合・分離溝３２ａと結合及び分離するための結合突起７１が形成されている。ヒンジダミー７０の一端（図で左端）には、後述するヒンジブラケット部８０に形成されたガイド結合部８１とガイド結合され、図で右方に移動した場合結合突起７１の突出を可能にする傾斜部７２が形成されている。
【００２７】
図１、図７、及び図８に示すように、ヒンジブラケット部８０は、ガイド結合部８１と、シーリング部８２とを含む。ガイド結合部８１は、本体部２０の内部側からセンターヒンジアーム２１内部の移動溝２１ｂに連通するように形成された挿入溝２２に挿入され、ヒンジダミー７０の一端（図で左端）とガイド結合され、ヒンジダミー７０を左右移動可能にする。シーリング部８２はガイド結合部８１に隣接して形成され、ヒンジブラケット部８０が挿入溝２２に挿入された場合に挿入溝２２を密閉する。
【００２８】
図７及び図８に示すように、シーリング部８２は、ゴム（ｒｕｂｂｅｒ）で形成され、シリコンのようなゴム以外の材質でも形成される。
【００２９】
図６乃至図８に示すように、ガイド結合部８１には、傾斜部７２とガイド結合されるとともにヒンジダミー７０を移動可能にするようにガイド傾斜面８１ａが形成される。
【００３０】
一方、本発明の実施形態によるヒンジ装置は、代表的な適用例としてフォルダ型携帯用通信装置を示す。しかしながら、フォルダ型携帯用通信装置は、必ずしも移動通信端末機に限定されるものではなく、ヒンジ装置を適用する多様な形態の端末機、例えばバー型、スライディング型端末機、及びスイング型端末機に適用可能である。
【００３１】
本発明の実施形態によるフォルダ型携帯用通信装置は、例えば、多様な通信システムに対応する通信プロトコルによって動作する移動通信端末機だけでなく、ＰＭＰ（Ｐｏｒｔａｂｌｅ  Ｍｕｌｔｉｍｅｄｉａ  Ｐｌａｙｅｒ）、ＭＰ３プレーヤ、ナビゲーション、ゲーム機、ノート型パソコン（ｎｏｔｅｂｏｏｋ  ｃｏｍｐｕｔｅｒ）、広告板、ＴＶ、デジタル放送プレーヤ、ＰＤＡ、スマートフォン（Ｓｍａｒｔ  Ｐｈｏｎｅ）、及び防水（ｗａｔｅｒｐｒｏｏｆ）フォンなどすべての情報通信機器とマルチメディアデバイス、及びそれに対する応用デバイスを含むことができる。
【００３２】
次に、上記のような構成を有する本発明の望ましい一実施形態によるフォルダ型携帯用通信装置のヒンジ装置１０の動作過程について、添付の図１乃至図８を参照してより詳細に説明する。
【００３３】
図１乃至図８に示すように、フォルダ型携帯用通信装置のヒンジ装置１０は、センターヒンジアーム２１を有する本体部２０と、第１及び第２のサイドヒンジアーム３１、３２を備えるフォルダ部３０と、ヒンジキャップ５０と、ヒンジ部６０と、ヒンジダミー７０と、ヒンジブラケット部８０とを含む。
【００３４】
ここで、本発明に係るフォルダ型携帯用通信装置の代表的な適用例として防水フォンについて説明する。
図１乃至図５に示すように、ヒンジ部６０は、センターヒンジアーム２１の一端（図で左端）に形成された安着溝２１ａに安着される。このとき、ヒンジ部６０のヒンジシャフト６１は外力が印加されていない場合、センターヒンジアーム２１から部分的に突出した状態で弾持されるようにヒンジ部６０に結合されている。
【００３５】
一方、この状態で、ヒンジダミー７０は、センターヒンジアーム２１の他端（図で右端）に形成された移動溝２１ｂに移動可能に結合される。
図５及び図６に示すように、ヒンジダミー７０の結合突起７１は、安着溝２１ａから突出しないように結合される。
【００３６】
この状態で、図５乃至図７に示すようにフォルダ部３０が本体部２０にヒンジ軸Ａ１を中心に回転可能に結合される場合、最初に、ヒンジシャフト６１が直接又はヒンジキャップ５０を介して一時的に外力によりヒンジ部６０の内側に押し込まれながら、センターヒンジアーム２１はフォルダ部３０の第１、第２のサイドヒンジアーム３１、３２の間に挿入される。
【００３７】
次に、図６に示すように、第１のサイドヒンジアーム３１の結合孔３１ａとヒンジシャフト６１が相互に対応する位置に来るまでセンターヒンジアーム２１が挿入されると、ヒンジシャフト６１は、ヒンジ部６０から突出して結合孔３１ａに結合される。
【００３８】
次に、同じく図６に示すように、この時点でヒンジキャップ５０は、結合孔３１ａに結合される。
このとき、フォルダ部３０の第２のサイドヒンジアーム３２は、センターヒンジアーム２１の他側に備えられるヒンジダミー７０に対応する位置にある。
【００３９】
次に、同じく図６に示すように、ヒンジブラケット部８０は、本体部２０の挿入溝２２に挿入され、ヒンジブラケット部８０のガイド結合部８１が挿入溝２２に挿入されると同時にヒンジダミー７０の傾斜部７２に接触する。
【００４０】
次に、ヒンジブラケット部８０を更に挿入すると、図７に示すように、ガイド結合部８１に形成されたガイド傾斜面８１ａは、傾斜部７２と接触して押されることによって、ヒンジ軸Ａ１に沿って図で左から右方向に、何れも変形すること無くガイド移動する。
【００４１】
図７に示すように、傾斜部７２がガイド移動すると同時にヒンジダミー７０もヒンジ軸Ａ１に沿って左から右方向に移動し、それと共にヒンジダミー７０の結合突起７１も移動しながら、センターヒンジアーム２１の移動溝２１ｂから突出され、第２のサイドヒンジアーム３２の結合・分離溝３２ａに押し込まれて結合され、結合は結合突起７１の弾性によって確保される。
【００４２】
ここで、ヒンジブラケット部８０に形成されたシーリング部８２は、挿入溝２２に挿入されて挿入溝２２を密閉させる。本体部２０の内部領域Ｃ１は、シーリング部８２によって密閉される。
【００４３】
本体部２０の挿入溝２２は、ヒンジブラケット部８０のシーリング部８２によって密閉され、本体部２０を外部と遮断する遮断部２１ｃは、センターヒンジアーム２１の安着溝２１ａと移動溝２１ｂとの間に形成されているため、本体部２０の隙間を全部密閉するので防水フォンとして使用できる。
【００４４】
一方、図８に示すように、フォルダ部３０を本体部２０から分離する場合は、まず第１のサイドヒンジアーム３１の結合孔３１ａに備えられるヒンジキャップ５０を外力によって結合孔３１ａの内側で更に押し込む。そうするとヒンジシャフト６１は、ヒンジキャップ５０を介してヒンジ部６０の内部に押し込まれるとともに、ヒンジシャフト６１を弾持しているヒンジ部６０の弾持部材が圧縮される結果、ヒンジシャフト６１はサイドヒンジアーム３１の結合孔３１ａから押し出される。
【００４５】
次に、図８において、ヒンジブラケット部８０を挿入溝２２から引き出して分離する。そうすると、ヒンジダミー７０は、ヒンジ軸Ａ１に従って図で右方から左方へ復元移動するとともにヒンジダミー７０の結合突起７１が移動し、結合突起７１は、第２のサイドヒンジアーム３２の結合・分離溝３２ａから分離される。
ここで、ヒンジダミー７０は、ヒンジブラケット部８０を分離した時の位置復元（図で右方から左方への移動）を可能にする弾性部材（図示せず）を備える。
【００４６】
このとき、フォルダ部３０の第１及び第２のサイドヒンジアーム３１、３２は、本体部２０のセンターヒンジアーム２１から分離でき、ヒンジシャフト６１はヒンジ部６０の弾持部材の復元によりヒンジ部６０から部分的に押し出された元の位置に戻る。
ここで、ヒンジ部６０は、以上のようなヒンジシャフト６１の押し込み及び押し出しを可能にする弾性部材（図示せず）を備える。
【００４７】
このように、ヒンジシャフト６１は、外力により直接、又はヒンジキャップ５０を介して、押すことによってヒンジ部６０に対して押し込まれ、ヒンジダミー７０は、ヒンジブラケット部８０を結合又は分離することによって図で右方又は左方に移動し、各々、本体部２０とフォルダ部３０とを、弾性部材に通常の弾性変形を除いて何れも変形させることなく結合又は分離できる。従って、製品の結合又は分離の際の変形及び損傷を防止し、それによって製品の組み立て及び分解の作業性を向上し、コストを低減できる。
【００４８】
以上、本発明のフォルダ型携帯用通信装置のヒンジ装置は、上述した実施形態及び図面に限定されるものではなく、多様な形態の端末機、例えばバー型、スライディング型、スイング型、及び防水フォン端末機などに様々の置き換え、変形、及び変更が可能であることは、当該技術分野における通常の知識を持つ者には明らかであろう。
【符号の説明】
【００４９】
１０    ヒンジ装置
２０    本体部
２１    センターヒンジアーム
２１ａ    安着溝
２１ｂ    移動溝
２１ｃ    遮断部
２２    挿入溝
３０    フォルダ部
３１、３２    第１、第２サイドヒンジアーム
３１ａ    結合孔
３２ａ    結合・分離溝
５０    ヒンジキャップ
６０    ヒンジ部
６１    ヒンジシャフト
７０    ヒンジダミー
７１    結合突起
７２    傾斜部
８０    ヒンジブラケット部
８１    ガイド結合部
８１ａ    ガイド傾斜面
８２    シーリング部
Ａ１    ヒンジ軸
【図１】
0005779015.tif 000002
【図２】
0005779015.tif 000003
【図３】
0005779015.tif 000004
【図４】
0005779015.tif 000005
【図５】
0005779015.tif 000006
【図６】
0005779015.tif 000007
【図７】
0005779015.tif 000008
【図８】
0005779015.tif 000009